(57)【要約】【課題】十分な換気をとることができ、かつ耐火性能を備えた軒天材の換気構造を提供する。【解決手段】外壁本体１から突出する屋根２の軒天井材７の基端部と、外壁本体１との間に第１隙間Ｓ１が設けられており、軒天井材７の基端部と、外壁本体１に前記軒天井材７より下方に取り付けられた外装材１２の上端部との間に第２隙間Ｓ２が設けられており、  第１隙間Ｓ１に軒天井材７の基端部を受ける受金物１４が設けられており、この受金物１４は外壁本体１から離間して該外壁本体１に固定されており、受金物１４と外装材１２の上端部とのうち少なくともいずれか一方に、加熱されることによって膨張して第２隙間Ｓ２を閉鎖する熱膨張耐火材１８が設けられている。したがって、十分な換気をとることができ、かつ耐火性能を備えた軒天材の換気構造を提供することことができる。【選択図】図２
2008025302.tif 000002
【特許請求の範囲】
【請求項１】
外壁本体から突出する屋根の軒天井材の基端部と、前記外壁本体との間に第１隙間が設けられており、前記軒天井材の基端部と、前記外壁本体に前記軒天井材より下方に取り付けられた外装材の上端部との間に第２隙間が設けられており、これら第１隙間および第２隙間を介して換気を行うようにした軒天井の換気構造であって、
前記第１隙間に前記軒天井材の基端部を受ける受金物が設けられており、この受金物は前記外壁本体から離間して該外壁本体に固定されており、
前記受金物と前記外装材の上端部とのうち少なくともいずれか一方に、加熱されることによって膨張して前記第２隙間を閉鎖する熱膨張耐火材が設けられていることを特徴とする軒天井の換気構造。
【請求項２】
請求項１に記載の軒天井の換気構造において、
前記熱膨張耐火材は前記受金物の下面に予め取り付けられていることを特徴とする軒天井の換気構造。
【請求項３】
請求項１または２に記載の軒天井の換気構造において、
前記受金物は、パッキン材を介して前記外壁本体に固定されており、このパッキン材は前記軒天井材の長手方向に所定間隔で配置された複数のパッキン材片によって構成されており、隣り合うパッキン材片間が上下に貫通する換気通路とされていることを特徴とする軒天井の換気構造。
【請求項４】
請求項３に記載の軒天井の換気構造において、
前記受金物と前記パッキン材との間には、通風性を有する複数のスリットが設けられたスリットプレートが前記第２隙間に対面して設けられていることを特徴とする軒天井の換気構造。
【請求項５】
請求項１〜４のいずれか一項に記載の軒天井の換気構造において、
前記外壁本体から突出する屋根は下屋であり、この下屋と外壁本体との接合部には耐火板が設けられていることを特徴とする軒天井の換気構造。
【発明の詳細な説明】
【技術分野】
【０００１】
本発明は、下屋等の屋根の軒天井の換気構造に関する。
【背景技術】
【０００２】
軒天井の換気構造の一例として、特許文献１に記載の技術が知られている。この技術は、軒裏であって、軒天井材の通気孔の配設された通気面に臨む位置に、板状部材を配設して、これら軒天井材と板状部材との間に、軒天井材の通気孔と屋根裏とを連通する空気用流路を形成し、この空気用流路に加熱されることによって前記空気用流路を閉鎖し、軒天井材の通気孔と屋根裏との通気を遮断する熱発泡耐火材を設けてなることを特徴としている。これによれば、板状部材端部に熱発泡耐火材が設けられているため、隣家に火災が発生した場合等に、その炎の熱により、熱発泡耐火材が加熱されて発泡し、炎を遮断できるようになり、隣家からの延焼を確実に防止できる。
【特許文献１】特開２０００−２０４６９７号公報
【発明の開示】
【発明が解決しようとする課題】
【０００３】
ところで、上記公報に記載の軒天材の換気構造では、軒天井材が屋根の傾斜方向と平行に配置されているが、軒天井材は水平に配置する場合もある。
このような水平に配置された軒天井材では、その基端部と外壁本体との間に隙間が設けられており、この隙間を通して換気を行うようにしているものがある。したがって、この隙間に上記のような熱発泡耐火材を設けることによって、炎を遮断することができる。
しかし、軒天材の基端部は外壁本体に固定された受金具等によって支持するために、該受金具を前記隙間に設ける必要がある。このため、熱発泡耐火材を前記隙間に設けた場合、隙間が狭くなってしまい十分な換気をとることができないおそれがある。
【０００４】
本発明は上記事情に鑑みてなされたもので、十分な換気をとることができ、かつ耐火性能を備えた軒天材の換気構造を提供することを課題としている。
【課題を解決するための手段】
【０００５】
上記課題を解決するために、請求項１に記載の発明は、例えば図１〜図４に示すように、外壁本体１から突出する屋根２の軒天井材７の基端部と、前記外壁本体１との間に第１隙間Ｓ１が設けられており、前記軒天井材７の基端部と、前記外壁本体１に前記軒天井材７より下方に取り付けられた外装材１２の上端部との間に第２隙間Ｓ２が設けられており、これら第１隙間Ｓ１および第２隙間Ｓ２を介して換気を行うようにした軒天井の換気構造であって、
前記第１隙間Ｓ１に前記軒天井材７の基端部を受ける受金物１４が設けられており、この受金物１４は前記外壁本体１から離間して該外壁本体１に固定されており、
前記受金物１４と前記外装材１２の上端部とのうち少なくともいずれか一方に、加熱されることによって膨張して前記第２隙間Ｓ２を閉鎖する熱膨張耐火材１８が設けられていることを特徴とする。
【０００６】
請求項１に記載の発明によれば、外壁本体１から突出する屋根２の軒天井材７の基端部と、外壁本体１との間に設けられている第１隙間Ｓ１には、受金物１４が設けられているが、熱膨張耐火材は設けられていないので、十分な換気をとることができる。また、軒天井材７の基端部と、外装材１２の上端部との間に設けられた第２隙間Ｓ２を閉鎖する熱膨張耐火材１８が受金物１４と外装材１２の上端部とのうち少なくともいずれか一方に設けられているので、火事等の際は熱膨張耐火材１８が膨張してこの第２隙間Ｓ２が閉鎖される。
したがって、十分な換気をとることができ、かつ耐火性能を備えた軒天材の換気構造を提供することことができる。
【０００７】
請求項２に記載の発明は、請求項１に記載の軒天井の換気構造において、
前記熱膨張耐火材１８は前記受金物１４の下面に予め取り付けられていることを特徴とする。
【０００８】
請求項２に記載の発明によれば、熱膨張耐火材１８が受金物１４の下面に予め取り付けられているので、受金物１４を外壁本体１に固定することによって、熱膨張耐火材１８を容易に前記第２隙間Ｓ２に設けることができ、現場での施工性が向上する。
【０００９】
請求項３に記載の発明は、請求項１または２に記載の軒天井の換気構造において、
前記受金物１４は、パッキン材１５を介して前記外壁本体１に固定されており、このパッキン材１５は前記軒天井材７の長手方向に所定間隔で配置された複数のパッキン材片１５ａによって構成されており、隣り合うパッキン材片１５ａ，１５ａ間が上下に貫通する換気通路１６とされていることを特徴とする。
【００１０】
請求項３に記載の発明によれば、外壁本体１から離間して設けられた受金物１４がパッキン材１５を介して外壁本体１に固定されているので、該受金物１４を安定的に第１隙間Ｓ１に設けることができる。そして、パッキン材１５は複数のパッキン材片１５ａによって構成されており、隣り合うパッキン材片１５ａ，１５ａ間が上下に貫通する換気通路１６とされているので、パッキン材１５によって換気が遮断されることがない。
【００１１】
請求項４に記載の発明は、請求項３に記載の軒天井の換気構造において、
前記受金物１４と前記パッキン材１５との間には、通風性を有する複数のスリット１７ａが設けられたスリットプレート１７が前記第２隙間Ｓ２に対面して設けられていることを特徴とする。
【００１２】
請求項４に記載の発明によれば、受金物１４とパッキン材１５との間に、スリットプレート１７が第２隙間Ｓ２に対面して設けられているので、熱膨張耐火材１８が膨張して第２隙間Ｓ２を閉鎖する前に、第２隙間Ｓ２から侵入した炎が直接外壁本体１に達するのを遅延させることができる。また、スリットプレート１７には通風性を有する複数のスリット１７ａが設けられているので、換気が遮断されることがない。
【００１３】
請求項５に記載の発明は、請求項１〜４のいずれか一項に記載の軒天井の換気構造において、
前記外壁本体１から突出する屋根は下屋２であり、この下屋２と外壁本体１との接合部には耐火板３が設けられていることを特徴とする。
【００１４】
請求項５に記載の発明によれば、下屋２と外壁本体１との接合部に耐火板３が設けられているので、熱膨張耐火材１８が膨張して第２隙間Ｓ２を閉鎖する前に、第２隙間Ｓ２から第１隙間Ｓ１を通って下屋２内に侵入した炎が耐火板３によって遮断され、直接外壁本体１に達するのを遅延させることができる。
【発明の効果】
【００１５】
本発明によれば、軒天井材の基端部と外壁本体との間に設けられた第１隙間に軒天井材の端部を受ける受金物が設けられており、この受金物は外壁本体から離間して該外壁本体に固定されているので、十分な換気をとることができる。また、軒天井材の基端部と、外装材の上端部との間に第２隙間が設けらており、受金物と外装材の上端部とのうち少なくともいずれか一方に、加熱されることによって膨張して第２隙間を閉鎖する熱膨張耐火材が設けられているので、火事等の際は熱膨張耐火材が膨張してこの第２隙間が閉鎖される。
したがって、十分な換気をとることができ、かつ耐火性能を備えた軒天材の換気構造を提供することことができる。
【発明を実施するための最良の形態】
【００１６】
以下図面を参照して本発明の実施の形態について説明する。
図１は本発明に係る軒天井の換気構造の一例を示す断面図、図２は図１におけるＡ円部の拡大図、図３はスリットプレートの正面図、図４は図２におけるＡ−Ａ線矢視図である。
図１に示すように、外壁本体１には、この外壁本体１から下屋２が突出して設けられており、この外壁本体１と下屋２との接合部には、耐火板３が設けられている。この耐火板３は繊維が混入したけい酸カルシウム板によって形成されており、下屋２内に侵入した炎を遮断して外壁本体１内に侵入させない、または侵入を遅延させるものである。また、下屋２のたる木４には、下地板５が取り付けられており、この下地板５上に屋根材６が敷設されている。下地材５は繊維が混入したけい酸カルシウム板によって形成されている。
【００１７】
下屋２のたる木４の下方には、軒天井材７が水平に設けられている。この軒天井材７は繊維が混入したけい酸カルシウム板によって形成されている。また、軒天井材７の裏面には矩形枠状に組まれた野縁８が固定されており、この野縁８は吊木９によってたる木４に吊り下げられている。
前記軒天井材７の先端部（図１において左端部）は、鼻隠し１０に突き当てられた状態で、支持板１１によって下方から支持されている。
また、軒天井材７の基端部（図１において右端部）と、外壁本体１との間には、第１隙間Ｓ１が設けられている。また、外壁本体１には、軒天井材７より下方において、外装材１２が縦胴縁１３を介して取り付けられている。外装材１２の上端部と、軒天井材７の基端部との間には、第２隙間Ｓ２が設けられている。
【００１８】
前記第１隙間Ｓ１には、軒天井材７の基端部を受ける受金物１４が設けられている。この受金物１４は、下屋２の長手方向（図２において紙面と直交する方向）に延在するものであり、上板部１４ａと、下板部１４ｂと、これら上下の板部１４ａ，１４ｂを連結する垂直板部１４ｃとから一体的に構成されている。上板部１４ａは略へ字状に形成されており、その先端部が軒天井材７の基端部上面に当接している。下板部１４ｂは平板状に形成されており、軒天井材７の基端部下面に当接している。軒天井材７の基端部は、上板部１４ａと下板部１４ｂとの間に挿入され、これら上下の板部１４ａ，１４ｂによって挟持されている。
また、前記垂直板部１４ｃは、パッキン材１５を介して外壁本体５に固定され、これによって受金物１４は外壁本体１から離間して該外壁本体１に固定されている。垂直板部１４ｃを外壁本体１に固定する場合、垂直板部１４ｃからパッキン材１５を貫通して外壁本体１にビスや釘をねじ込むまたは打ち込むことによって固定されている。
【００１９】
前記パッキン材１５は、図４に示すように、軒天井材７の長手方向（図４において左右方向）に所定間隔で配置された複数のパッキン材片１５ａによって構成されており、隣り合うパッキン材片間が上下に貫通する換気通路１６とされている。したがって、前記第１隙間Ｓ１に換気通路１６が設けられるので、この換気通路１６を備えた第１隙間Ｓ１と前記第２隙間Ｓ２を介して換気を行うようになっている。
また、前記受金物１４の垂直板部１４ｃとパッキン材１５との間にはスリットプレート１７が設けられている。このスリットプレート１７は図３に示すように、軒天井材７の長手方向（図３において左右方向）に長尺な薄板状のプレートであり、その下部には通風性を有する多数のスリット１７ａがスリットプレート１７の長手方向に所定間隔で形成されている。これら多数のスリット１７ａが設けられているスリットプレート１７の下部は、パッキン材１５より下方に突出しており、前記第２隙間Ｓ２に対面している。
【００２０】
また、前記受金物１４の下板部１４ｂの下面には、加熱されることによって膨張して前記第２隙間Ｓ２を閉鎖する熱膨張耐火材１８が予め設けられている。この熱膨張耐火材１８は、グラファイト系材料からなり、約２００度以上に熱せられると発泡し、例えば２〜３ｍｍ厚で約１５〜２０倍に膨張するものである。
【００２１】
そして、上記のような構成の軒天井の換気構造では、外壁本体１から突出する下屋２の軒天井材７の基端部と、外壁本体１との間に設けられている第１隙間Ｓ１には、受金物１４が設けられているが、熱膨張耐火材は設けられていないので、十分な換気をとることができる。また、軒天井材１４の基端部と、外装材１２の上端部との間に設けられた第２隙間Ｓ２を閉鎖する熱膨張耐火材１８が受金物１４の垂直板部１４ｂの下面に設けられているので、火事等の際は熱膨張耐火材１８が膨張してこの第２隙間Ｓ２が閉鎖される。
したがって、十分な換気をとることができ、かつ耐火性能を備えた軒天材の換気構造を提供することことができる。
また、熱膨張耐火材１８が受金物１４の垂直板部１４ｂの下面に予め取り付けられているので、受金物１４を外壁本体１に固定することによって、熱膨張耐火材１８を容易に第２隙間Ｓ２に設けることができ、現場での施工性が向上する。
さらに、外壁本体１から離間して設けられた受金物１４がパッキン材１５を介して外壁本体１に固定されているので、該受金物１４を安定的に第１隙間Ｓ１に設けることができる。そして、パッキン材１５は複数のパッキン材片１５ａによって構成されており、隣り合うパッキン材片１５ａ，１５ａ間が上下に貫通する換気通路１６とされているので、パッキン材１５によって換気が遮断されることがない。
加えて、受金物１４とパッキン材１５との間に、スリットプレート１７が第２隙間Ｓ２に対面して設けられているので、熱膨張耐火材１８が膨張して第２隙間Ｓ２を閉鎖する前に、第２隙間Ｓ２から侵入した炎が直接外壁本体１に達するのを遅延させることができる。また、スリットプレート１７には通風性を有する複数のスリット１７ａが設けられているので、換気が遮断されることがない。
また、下屋２と外壁本体１との接合部に耐火板３が設けられているので、熱膨張耐火材１８が膨張して第２隙間Ｓ２を閉鎖する前に、第２隙間Ｓ２から第１隙間Ｓ１を通って下屋２内に侵入した炎が耐火板３によって遮断され、直接外壁本体１に達するのを遅延させることができる。
【００２２】
なお、本実施の形態では、熱膨張耐火材１８を受金物１４に予め設けたが、これに代えて、またはこれに加えて、外装材１２の上端面に予め設けてもよい。
また、本実施の形態では、本発明に係る軒天井の換気構造を下屋２に適用した場合を例にとって説明したが、本発明は通常の屋根で、外壁本体から突出する軒先の軒天井の換気構造に適用することもできる。
【図面の簡単な説明】
【００２３】
【図１】本発明に係る軒天井の換気構造の一例を示すもので、その断面図である。
【図２】同、図１におけるＡ円部の拡大図である。
【図３】同、図３はスリットプレートの正面図である。
【図４】同、図２におけるＡ−Ａ線矢視図である。
【符号の説明】
【００２４】
１  外壁本体
２  下屋（屋根）
３  耐火板
７  軒天井材
１２  外装材
１４  受金物
１５  パッキン材
１５ａ  パッキン材片
１６  換気通路
１７  スリットプレート
１７ａ  スリット
１８  熱膨張耐火材
Ｓ１  第１隙間
Ｓ２  第２隙間
【図１】
2008025302.tif 000003
【図２】
2008025302.tif 000004
【図３】
2008025302.tif 000005
【図４】
2008025302.tif 000006